(57)【特許請求の範囲】
【請求項１】
電力系統と、需要家の施設における電力供給装置及び電力使用装置との間での電力の入出力に係る制御を所定アルゴリズムにより実行し、電力に係る情報を表示するための制御を行う制御システムであって、
前記施設に係る電力の測定結果に基づいて、前記電力系統及び前記電力使用装置の間における電力の入出力の状態、並びに、前記電力供給装置及び前記電力使用装置の間における電力の入出力の状態を示す第１電力情報を表示するための制御を行う制御部と、
前記第１電力情報が示す電力の入出力の値の変更を示す指示情報を取得する指示情報取得部とを備え、
前記制御部は更に、前記第１電力情報が示す電力の入出力の状態を前記指示情報に応じて変更するシミュレーションの結果としての、前記電力系統及び前記電力使用装置の間における、当該変更後の電力の入出力の状態、並びに、前記電力供給装置及び前記電力使用装置の間における、当該変更後の電力の入出力の状態を示す第２電力情報を表示するための制御を行う
制御システム。
【請求項２】
前記制御システムは、
前記電力使用装置が使用する電力の測定結果を示す使用電力情報を取得する電力情報取得部を備え、
前記制御部は、前記使用電力情報に基づいて、前記第１電力情報及び前記第２電力情報を特定し、特定した前記第１電力情報及び前記第２電力情報を表示するための制御を行う
請求項１記載の制御システム。
【請求項３】
前記電力供給装置は、蓄電装置及び発電装置であり、
前記電力情報取得部は更に、前記発電装置が発電した電力の測定結果である発電情報及び前記蓄電装置の蓄電状態を示す蓄電情報を取得し、
前記所定アルゴリズムは、前記発電情報及び前記蓄電情報に基づいて前記電力供給装置から前記電力使用装置へ入力する電力を特定するアルゴリズムを含む
請求項２記載の制御システム。
【請求項４】
前記制御システムは、
電力に係る情報を表示するための表示部と、前記第１電力情報が示す電力の入出力の状態についての変更に係る操作を受け付けて当該変更を示す指示情報を生成する操作受付部とを有するユーザインタフェース装置を備え、
前記制御部は、前記第１電力情報及び前記第２電力情報を前記表示部に表示するよう制御を行い、
前記指示情報取得部は、前記操作受付部により生成された前記指示情報を取得する
請求項２又は３記載の制御システム。
【請求項５】
前記第１電力情報及び前記第２電力情報は、前記電力系統を表す第１表示物と前記電力使用装置を表す第２表示物との情報を含み、
前記制御部は、前記電力系統が前記電力使用装置へ電力を入力している場合において、前記第１表示物と前記第２表示物との間を接続する線を前記表示部に表示するよう制御を行い、
前記制御部は、前記電力系統が前記電力使用装置へ電力を入力していない場合において、前記第１表示物と前記第２表示物との間を接続する線を前記表示部に表示しないよう制御を行い、
前記第１電力情報は、前記電力系統が前記電力使用装置へ電力を入力している状態を示し、
前記操作受付部が受け付ける前記操作は、前記電力系統が前記電力使用装置へ電力を入力しない状態へ変更するための操作である
請求項４記載の制御システム。
【請求項６】
前記操作受付部は更に、前記第２電力情報が前記表示部に表示されている場合に、前記第２電力情報が示す電力の入出力の状態を実現するための所定操作を受け付け、
前記操作受付部により前記所定操作が受け付けられた場合に、前記制御部は、前記第２電力情報が示す電力の入出力の状態を実現するために前記電力供給装置を制御する
請求項４又は５記載の制御システム。
【請求項７】
前記シミュレーションは、前記指示情報が示す変更の条件下で、前記使用電力情報が示す電力を前記電力使用装置に継続して供給するために前記所定アルゴリズムに従って、前記電力系統及び前記電力供給装置に係る電力の入出力を特定することにより行われる
請求項２〜６のいずれか一項に記載の制御システム。
【請求項８】
前記制御部は、前記シミュレーションにおいて、前記指示情報が示す変更の条件下で前記使用電力情報が示す電力を前記電力使用装置に供給する結果が得られない場合には、前記第２電力情報を表示するための制御に代えて、エラーを表示するための制御を行う
請求項２〜７のいずれか一項に記載の制御システム。
【請求項９】
前記指示情報は、前記第１電力情報が示す電力の入出力の状態から、前記電力系統が前記電力使用装置へ入力する電力を低減した状態への変更を示す
請求項１〜４のいずれか一項に記載の制御システム。
【請求項１０】
前記指示情報は、前記電力供給装置が前記電力使用装置へ入力する電力の入力量の変更を示す
請求項１〜４のいずれか一項に記載の制御システム。
【請求項１１】
電力系統と、需要家の施設における電力供給装置及び電力使用装置との間での電力の入出力に係る制御を所定アルゴリズムにより実行する制御システムにおいて用いられ、電力に係る情報を表示する表示方法であって、
前記施設に係る電力の測定結果に基づいて、前記電力系統及び前記電力使用装置の間における電力の入出力の状態、並びに、前記電力供給装置及び前記電力使用装置の間における電力の入出力の状態を示す第１電力情報を表示する第１表示ステップと、
前記第１電力情報が示す電力の入出力の値の変更を示す指示情報を取得する指示情報取得ステップと、
前記第１電力情報が示す電力の入出力の状態を前記指示情報に応じて変更するシミュレーションの結果としての、前記電力系統及び前記電力使用装置の間における、当該変更後の電力の入出力の状態、並びに、前記電力供給装置及び前記電力使用装置の間における、当該変更後の電力の入出力の状態を示す第２電力情報を表示する第２表示ステップとを含む
表示方法。
【請求項１２】
電力系統と、需要家の施設における電力供給装置及び電力使用装置との間での電力の入出力に係る制御を所定アルゴリズムにより実行し、電力に係る情報を表示装置に表示するための制御を行う制御装置であって、
前記施設に係る電力の測定結果に基づいて、前記電力系統及び前記電力使用装置の間における電力の入出力の状態、並びに、前記電力供給装置及び前記電力使用装置の間における電力の入出力の状態を示す第１電力情報を前記表示装置に表示するための制御を行う制御部と、
前記第１電力情報が示す電力の入出力の値の変更を示す指示情報を取得する指示情報取得部とを備え、
前記制御部は更に、前記第１電力情報が示す電力の入出力の状態を前記指示情報に応じて変更するシミュレーションの結果としての、前記電力系統及び前記電力使用装置の間における、当該変更後の電力の入出力の状態、並びに、前記電力供給装置及び前記電力使用装置の間における、当該変更後の電力の入出力の状態を示す第２電力情報を前記表示装置に表示するための制御を行う
制御装置。
【請求項１３】
プロセッサを含む制御装置に、電力系統と、需要家の施設における電力供給装置及び電力使用装置との間での電力の入出力に係る制御を実行させ、電力に係る情報を表示装置に表示させるための制御処理を実行させるための制御プログラムであって、
前記制御処理は、
前記施設に係る電力の測定結果に基づいて、前記電力系統及び前記電力使用装置の間における電力の入出力の状態、並びに、前記電力供給装置及び前記電力使用装置の間における電力の入出力の状態を示す第１電力情報を前記表示装置に表示するための制御を行う第１表示制御ステップと、
前記第１電力情報が示す電力の入出力の値の変更を示す指示情報を取得する指示情報取得ステップと、
前記第１電力情報が示す電力の入出力の状態を前記指示情報に応じて変更するシミュレーションの結果としての、前記電力系統及び前記電力使用装置の間における、当該変更後の電力の入出力の状態、並びに、前記電力供給装置及び前記電力使用装置の間における、当該変更後の電力の入出力の状態を示す第２電力情報を前記表示装置に表示するための制御を行う第２表示制御ステップとを含む
制御プログラム。
【発明の詳細な説明】
【技術分野】
【０００１】
本発明は、需要家の施設における電力に係る情報を表示する制御システム、並びに、この制御システムで用いられる表示方法、制御装置及び制御プログラムに関する。
【背景技術】
【０００２】
従来、住宅における電力等のエネルギー管理をするＨＥＭＳ（Home Energy Management System）が知られている。ＨＥＭＳでは、例えば電力消費の抑制等のために、住宅における１台以上のＨＥＭＳ機器を、ＨＡＮ（Home Area Network）を介してＨＥＭＳコントローラが制御する。ＨＥＭＳは、ＨＥＭＳ機器による電力需給の状態を測定して、その測定結果に基づき住宅における電力需給の状態を、モニター、タブレット等に表示してユーザに認知させる。例えば、住宅の供給機器の供給電力及び電力消費機器の消費電力を測定しその測定結果に基づいて収集して、ユーザ端末に、住宅内の電力需給の状態を表す画面を表示するエネルギー使用状況表示システムが知られている（特許文献１参照）。
【先行技術文献】
【特許文献】
【０００３】
【特許文献１】特開２０１４−１６０３９５号公報
【発明の概要】
【発明が解決しようとする課題】
【０００４】
ＨＥＭＳにおいて電力需給の状態を表示することの有用性の１つとして、例えばユーザに電力消費の抑制（所謂節電）の動機を与えるという効果が期待できる。なお、電力消費抑制は、例えば地球環境保護等に有益な面を持つ。
【０００５】
しかし、一般的な家庭における電力需給の状態は、あまり大きく変動するものではないため、表示内容がユーザの関心を引かずに飽きられてしまい、次第にユーザが電力需給の状態の表示を見なくなる。電力需給の状態を表示してもユーザが表示を見なければ、その表示によりユーザに電力消費の抑制を動機付けることができない。
【０００６】
そこで、本発明は、表示内容に対するユーザの関心を高めるような、電力に係る情報の表示を行う制御システムを提供することを目的とする。また、本発明は、この制御システムで用いられる表示方法、制御装置及び制御プログラムを提供することを目的とする。
【課題を解決するための手段】
【０００７】
上記目的を達成するために本発明の一態様に係る制御システムは、電力系統と、需要家の施設における電力供給装置及び電力使用装置との間での電力の入出力に係る制御を所定アルゴリズムにより実行し、電力に係る情報を表示するための制御を行う制御システムであって、前記施設に係る電力の測定結果に基づいて、前記電力系統、前記電力供給装置及び前記電力使用装置の間における電力の入出力の状態を示す第１電力情報を表示するための制御を行う制御部と、前記第１電力情報が示す電力の入出力の状態についての変更を示す指示情報を取得する指示情報取得部とを備え、前記制御部は更に、前記第１電力情報が示す電力の入出力の状態を前記指示情報に応じて変更するシミュレーションの結果としての、前記電力系統、前記電力供給装置及び前記電力使用装置の間における、当該変更後の電力の入出力の状態を示す第２電力情報を表示するための制御を行う。
【０００８】
また、上記目的を達成するために本発明の一態様に係る表示方法は、電力系統と、需要家の施設における電力供給装置及び電力使用装置との間での電力の入出力に係る制御を所定アルゴリズムにより実行する制御システムにおいて用いられ、電力に係る情報を表示する表示方法であって、前記施設に係る電力の測定結果に基づいて、前記電力系統、前記電力供給装置及び前記電力使用装置の間における電力の入出力の状態を示す第１電力情報を表示する第１表示ステップと、前記第１電力情報が示す電力の入出力の状態についての変更を示す指示情報を取得する指示情報取得ステップと、前記第１電力情報が示す電力の入出力の状態を前記指示情報に応じて変更するシミュレーションの結果としての、前記電力系統、前記電力供給装置及び前記電力使用装置の間における、当該変更後の電力の入出力の状態を示す第２電力情報を表示する第２表示ステップとを含む。
【０００９】
また、上記目的を達成するために本発明の一態様に係る制御装置は、電力系統と、需要家の施設における電力供給装置及び電力使用装置との間での電力の入出力に係る制御を所定アルゴリズムにより実行し、電力に係る情報を表示装置に表示するための制御を行う制御装置であって、前記施設に係る電力の測定結果に基づいて、前記電力系統、前記電力供給装置及び前記電力使用装置の間における電力の入出力の状態を示す第１電力情報を前記表示装置に表示するための制御を行う制御部と、前記第１電力情報が示す電力の入出力の状態についての変更を示す指示情報を取得する指示情報取得部とを備え、前記制御部は更に、前記第１電力情報が示す電力の入出力の状態を前記指示情報に応じて変更するシミュレーションの結果としての、前記電力系統、前記電力供給装置及び前記電力使用装置の間における、当該変更後の電力の入出力の状態を示す第２電力情報を前記表示装置に表示するための制御を行う。
【００１０】
また、上記目的を達成するために本発明の一態様に係る制御プログラムは、プロセッサを含む制御装置に、電力系統と、需要家の施設における電力供給装置及び電力使用装置との間での電力の入出力に係る制御を実行させ、電力に係る情報を表示装置に表示させるための制御処理を実行させるための制御プログラムであって、前記制御処理は、前記施設に係る電力の測定結果に基づいて、前記電力系統、前記電力供給装置及び前記電力使用装置の間における電力の入出力の状態を示す第１電力情報を前記表示装置に表示するための制御を行う第１表示制御ステップと、前記第１電力情報が示す電力の入出力の状態についての変更を示す指示情報を取得する指示情報取得ステップと、前記第１電力情報が示す電力の入出力の状態を前記指示情報に応じて変更するシミュレーションの結果としての、前記電力系統、前記電力供給装置及び前記電力使用装置の間における、当該変更後の電力の入出力の状態を示す第２電力情報を前記表示装置に表示するための制御を行う第２表示制御ステップとを含む。
【発明の効果】
【００１１】
本発明の一態様に係る制御システム、表示方法及び制御装置は、電力に係る情報へのユーザの関心を高め得る。また、本発明の一態様に係る制御プログラムが実行されると表示装置に電力に係る情報が表示され、ユーザの関心を引く。
【図面の簡単な説明】
【００１２】
【図１】実施の形態に係る制御システムの概略構成図である。
【図２】制御システムの機能ブロック図である。
【図３】制御装置における制御処理の一例を示すフローチャートである。
【図４】ユーザインタフェース装置の画面例（電力の入出力の状態の画面例）を示す図である。
【図５】ユーザインタフェース装置の画面例（電力の流れを切断するシミュレーション結果）を示す図である。
【図６】ユーザインタフェース装置の画面例（電力値の減少のシミュレーション結果）を示す図である。
【図７】ユーザインタフェース装置の画面例（電力値の増加のシミュレーション結果）を示す図である。
【図８】ユーザインタフェース装置の画面例（蓄電装置の放電のシミュレーション結果）を示す図である。
【図９】ユーザインタフェース装置の画面例（蓄電装置に蓄電している状態）を示す図である。
【図１０】ユーザインタフェース装置の画面例（時間を進めるシミュレーション結果）を示す図である。
【図１１】ユーザインタフェース装置の画面例（エラー表示）を示す図である。
【発明を実施するための形態】
【００１３】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１４】
以下、本発明の一実施形態に係る制御システムについて説明する。
【００１５】
（構成）
図１は、実施形態に係る制御システム１０の概略構成図である。同図に示す制御システム１０は、住宅２０に設置された制御装置１００（ＨＥＭＳコントローラ）、発電装置２１０、蓄電装置２２０、分電盤２３０、電力使用装置３００及びユーザインタフェース装置４００を含んで構成されるＨＥＭＳである。同図に示す電力系統２９０は、電力の供給等のための電力会社等の設備である。
【００１６】
制御システム１０は、住宅２０における電力消費を管理し、住宅における電力供給装置（発電装置２１０及び蓄電装置２２０）と電力系統２９０と電力使用装置３００との間での電力の入出力に関連する制御を実行する機能を有する。電力使用装置３００は、住宅２０内で分電盤２３０に接続され、電力を消費する各種電気機器であり、照明機器３１０、空調機器３２０、テレビジョン受信装置（テレビ）３３０等である。なお、図１では便宜上照明機器３１０、空調機器３２０及びテレビ３３０を示しているが、これらは一例にすぎず、住宅２０には他の電気機器（例えば冷蔵庫、給湯機器、電磁調理器、電気自動車の充電装置等）が含まれ得る。住宅２０は、所謂買電として電力系統２９０の系統電力（商用電力）の供給を受けることができる。
【００１７】
発電装置２１０は、例えば太陽光発電のための太陽電池モジュール等であり、電力の生成を行う。発電装置２１０の生成する電力は、例えば、住宅２０における電力使用装置３００により消費される電力を賄うために用いられ、余剰が生じれば余剰分は所謂売電として電力系統２９０に供給される。
【００１８】
蓄電装置２２０は、例えばリチウムイオン蓄電システム等であり、蓄電及び放電により電力を効率的に利用する或いは停電時に備える等のための装置である。蓄電装置２２０は、例えば、制御装置１００の制御を受けて蓄電した電力を放出（放電）することにより電力使用装置３００への電力の供給を行うことが可能である。
【００１９】
分電盤２３０は、電力系統２９０、電力供給装置等から供給される電力を分岐させる分岐回路、遮断器等を含む。分電盤２３０は更に、各分岐回路に接続された照明機器３１０、空調機器３２０等の電力使用装置３００が使用（消費）する電力を電流センサで分岐回路単位毎に測定して測定結果に基づき求めた電力である測定データ（測定値）を送信する電力測定回路を含む。分岐回路に設けられた電流センサを用いて求められる電力は、その分岐回路に接続された全ての電力使用装置３００で使用される電力を総合したものである。なお、分岐回路単位で求めた電力から、予め定めた配分に従って、個々の電力使用装置３００で使用される電力の推定値を求めて、上述の測定データの代わりに用いてもよい。また、個々の電力使用装置３００が使用する電力を、コンセントに設けた電流センサ等を用いて求めて上述の測定データの代わりに用いてもよい。また、分電盤２３０は、発電装置２１０の発電した電力（発電電力）についての測定データを制御装置１００に送信し、蓄電装置２２０の蓄電量等の蓄電状態についての測定データを制御装置１００に送信する機能を有する。発電装置２１０の発電した電力及び蓄電装置２２０の蓄電状態についての測定は発電装置２１０及び蓄電装置２２０が行ってもよいし、分電盤２３０にその測定を行う測定回路を含ませてもよい。
【００２０】
ユーザインタフェース装置４００は、タブレット４１０、スマートフォン４２０等であり、住宅２０の居住者（ユーザ）の入力を受け付けて情報の表示を行う装置である。ユーザインタフェース装置４００は、例えばディスプレイ、プロジェクタ等の表示装置と、タッチパネル、ポインティングデバイス、キーボード等の入力装置と、メモリと通信回路とＣＰＵとを有する。
【００２１】
制御装置１００は、ＨＥＭＳコントローラであり、ＨＡＮ（つまり住宅２０における無線又は有線ネットワーク）を介してＨＥＭＳ機器（例えば電力使用装置３００、蓄電装置２２０、ユーザインタフェース装置４００等の各種機器）と通信可能である。制御装置１００は、消費電力の低減等のためにＨＥＭＳ機器を制御することで住宅２０における電力需給の状態（つまり電力の入出力の状態）を変更する機能を有する。制御装置１００によるＨＥＭＳ機器の制御は、例えば、分電盤２３０から収集した、測定データに基づいて行われる。制御装置１００は、更に、その測定データ等に基づいて電力に関する情報を生成して、その情報をユーザインタフェース装置４００（タブレット４１０、スマートフォン４２０等）に表示させる制御を行う機能を有する。なお、制御装置１００は、メモリ、通信回路及びＣＰＵ（Central Processing Unit）を備える。メモリは、プログラム及びデータを予め保持しているＲＯＭ、プログラムの実行に際してデータ等の記憶に利用するためのＲＡＭ等であり、例えば不揮発性メモリを含んでいてもよい。ＣＰＵは、メモリに格納されたプログラムを実行することにより通信回路等を制御して各種処理を行う。通信回路は、無線或いはＬＡＮ（Local Area Network）ケーブル、ＰＬＣ（Power Line Communication）等の有線で通信するための回路である。なお、制御装置１００はＨＥＭＳ機器と無線通信を行う無線機（例えば無線ＬＡＮアクセスポイント等）と有線接続されていてもよい。また、制御装置１００は、住宅２０の外部に所在するサーバ（不図示）とインターネット等の広域ネットワークを介して通信する機能を有する。サーバは例えば電力会社等により運用され、制御装置１００は、サーバから、例えば電力会社と住宅２０との間での電力の売買に関する情報（例えば売買の単価等を示す価格情報）、住宅２０の所在地域についての気象情報等を受信し得る。なお、気象情報は、制御装置１００が発電装置２１０による将来の発電量（つまり発電電力）を予測する際に利用できる。
【００２２】
図２は、制御システム１０の機能ブロック図である。同図には電力系統２９０も付記している。図２では、制御装置１００を中心として電力に関する情報の表示制御を実現するための機能面での主な構成要素を示している。
【００２３】
制御装置１００は、ＨＥＭＳ機器の電力の入出力に係る制御及び電力に関する情報の表示制御のための制御処理を実行するために、機能面では、電力情報取得部１１０、指示情報取得部１２０及び制御部１３０を備える。
【００２４】
電力情報取得部１１０は、電力使用装置３００が使用する電力の測定結果を示す使用電力情報を取得する機能を有し、例えば分電盤２３０からの測定データにより、使用電力情報を取得する。また、電力情報取得部１１０は、分電盤２３０からの測定データにより、発電装置が発電した電力の測定結果である発電情報及び蓄電装置の蓄電状態を示す蓄電情報を取得する。電力情報取得部１１０は、通信回路、プログラムを実行するＣＰＵ等により実現される。
【００２５】
指示情報取得部１２０は、ユーザインタフェース装置４００から、住宅２０における電力の入出力の状態についての変更を示す指示情報及びその他の情報を取得する機能を有する。指示情報取得部１２０は、通信回路、プログラムを実行するＣＰＵ等により実現される。指示情報は、例えば電力系統２９０から電力使用装置３００へ供給する電力をゼロ（電力供給停止）にする変更等といった、電力の入出力に係る制御の条件についての変更内容を指示するための情報であり、後に詳しく説明する。
【００２６】
制御部１３０は、使用電力情報、発電情報、蓄電情報等に基づいて、電力系統２９０、電力供給装置２００及び電力使用装置３００の間での電力の入出力の状態を変更する制御、及び、その電力の入出力の状態を示す情報の表示のための制御を行う。制御部１３０は、通信回路、プログラムを実行するＣＰＵ等により実現され、電力入出力制御部１３１、シミュレート部１３２及び表示制御部１３３を有する。
【００２７】
電力入出力制御部１３１は、使用電力情報、発電情報、蓄電情報等に基づいて、予め定められた制御用の所定アルゴリズムに従って、電力系統２９０、電力供給装置２００及び電力使用装置３００の間での電力の入出力に係る制御を行う機能を有する。電力入出力制御部１３１は、例えば、電力供給装置２００の出力する電力の量を変更させるために、例えば蓄電装置２２０に、放電させるための制御信号を送信し得る。
【００２８】
シミュレート部１３２は、電力入出力制御部１３１が用いるものと同じ所定アルゴリズムを用いて、電力系統２９０、電力供給装置２００及び電力使用装置３００の間での電力の入出力に係る制御のシミュレーションを実行する機能を有する。このシミュレーションは、指示情報、使用電力情報、発電情報、蓄電情報等に基づいて、指示情報が示す電力の入出力の状態の変更を実現するために、その変更の条件に応じて行われる。このシミュレーションにより、電力系統２９０、電力供給装置２００及び電力使用装置３００の間での電力の入出力に係る制御を行ったと仮定した場合の、電力系統２９０、電力供給装置２００及び電力使用装置３００の間での電力の入出力の状態が、特定される。即ち、シミュレート部１３２は、変更の条件を前提として、電力入出力制御部１３１が所定アルゴリズムに従って行う制御を擬似的に実行する（つまりその制御により生じる状態を所定アルゴリズムに基づく計算により特定する）。指示情報で定まる変更の条件は、例えば電力系統からの入力電力をゼロにするという条件等である。シミュレート部１３２は、変更の条件に反しない限り、使用電力情報が示す電力を電力使用装置３００に継続して供給するように、所定アルゴリズムに従ったシミュレーション（電力系統２９０及び電力供給装置２００に係る電力の入出力の特定等）を行う。
【００２９】
表示制御部１３３は、電力系統２９０、電力供給装置２００及び電力使用装置３００の間での電力の入出力の状態を示す実電力情報を表示するための制御機能を有する。表示制御部１３３は、更に、指示情報に基づくシミュレーションの結果として特定される状態を示すシミュレーション電力情報を表示するための制御機能を有する。
【００３０】
ユーザインタフェース装置４００は、機能面では操作受付部４０１及び表示部４０２を有する。表示部４０２は、制御装置１００の制御を受けて、電力系統２９０、電力供給装置２００及び電力使用装置３００の間での電力の入出力の状態を示す実電力情報或いはシミュレーション電力情報を表示装置の表示面等に表示する機能を有する。操作受付部４０１は、入力装置により、実電力情報が示す電力の入出力の状態についての変更に係る操作を受け付けて、その変更を示す指示情報を生成して制御装置１００に伝達する機能を有する。
【００３１】
以下、制御装置１００の制御部１３０において用いられる所定アルゴリズムについて説明する。
【００３２】
所定アルゴリズムは、例えば、電力使用装置３００が使用する電力を賄うために、電力供給装置２００のうち発電装置２１０の発電電力の測定データ（測定値）或いは推定値に基づいて、蓄電装置２２０から電力使用装置３００への供給電力を決定するアルゴリズムを包含する。また、所定アルゴリズムは、例えば、電力使用装置３００の必要量より多く発電装置２１０が発電すると蓄電装置２２０に蓄電するという制御内容を定めている。また、例えば、電力系統２９０からの供給電力が必要な分より低減する場合（停電時等）、放電が指示されている場合等においては蓄電装置２２０が電力使用装置３００に電力を供給するという制御内容を定めている。
【００３３】
この所定アルゴリズムの一例の具体的内容は、例えば以下の通りである。ここでは、説明の便宜上、売電を行わない単純な一例を示す。
【００３４】
使用電力情報により示される電力使用装置３００の使用電力をＰｘ（ｋＷ）とし、発電情報で示される発電装置２１０の発電電力の測定値或いは推定値をＰａ（ｋＷ）とする。また、蓄電情報で示される蓄電装置２２０の、蓄電容量に対する蓄電量をＰｂ（％）とする。また、蓄電装置２２０の最大定格出力はＰｂｘ０（ｋＷ）とする。
【００３５】
所定アルゴリズムにより、（ａ）発電装置２１０から電力使用装置３００への供給電力Ｐａｘ（ｋＷ）、（ｂ）発電装置２１０から蓄電装置２２０への供給電力Ｐａｂ（ｋＷ）、（ｃ）電力系統２９０から電力使用装置３００への供給電力Ｐｃｘ（ｋＷ）、及び、（ｄ）蓄電装置２２０から電力使用装置３００への供給電力Ｐｂｘ（ｋＷ）が次のように特定される。
【００３６】
（１）Ｐｘ−Ｐａ＜０の場合
（ａ）発電装置２１０から電力使用装置３００への供給電力Ｐａｘ＝Ｐｘ
（ｂ）発電装置２１０から蓄電装置２２０への供給電力Ｐａｂ＝Ｐａ−Ｐｘ
（ｃ）電力系統２９０から電力使用装置３００への供給電力Ｐｃｘ＝０
（ｄ）蓄電装置２２０から電力使用装置３００への供給電力Ｐｂｘ＝０
【００３７】
（２）ＰｘーＰａ＞＝０の場合
（ａ）発電装置２１０から電力使用装置３００への供給電力Ｐａｘ＝Ｐａ
（ｂ）発電装置２１０から蓄電装置２２０への供給電力Ｐａｂ＝０
【００３８】
（２−１）「蓄電装置の電力を使用すべき場合」（停電時、放電指示がある場合等）
このときの電力系統２９０から供給される電力はＰｃｘ０（ｋＷ）に制限される。
【００３９】
停電の場合にはＰｃｘ０はゼロである。放電指示の場合には例えばＰｃｘ０は１．５ｋＷ等の固定値である。
【００４０】
（ｃ）電力系統２９０から電力使用装置３００への供給電力Ｐｃｘ＝Ｐｃｘ０
【００４１】
（２−１−１）Ｐｂ＞０（或いはＰｂが略ゼロの一定閾値より大きい場合）、かつ、Ｐｘ−Ｐａ−Ｐｃｘ０＜＝Ｐｂｘ０の場合
（ｄ）蓄電装置２２０から電力使用装置３００への供給電力Ｐｂｘ＝Ｐｘ−Ｐａ−Ｐｃｘ０
【００４２】
（２−１−２）その他の場合
（ｄ）蓄電装置２２０から電力使用装置３００への供給電力Ｐｂｘ＝０
この場合には、供給電力が不足した状態であり、シミュレーションにおいてはエラーとなる。
【００４３】
（２−２）「蓄電装置の電力を使用すべき場合」に該当しない場合
（ｃ）電力系統２９０から電力使用装置３００への供給電力Ｐｃｘ＝Ｐｘ−Ｐａ
（ｄ）蓄電装置２２０から電力使用装置３００への供給電力Ｐｂｘ＝０
【００４４】
（動作）
以下、上述の構成を備える制御システム１０の動作例について、制御装置１００の動作を中心に説明する。
【００４５】
図３は、制御装置１００の制御処理の一例を示すフローチャートである。以下、同図に即して制御処理を説明する。
【００４６】
制御装置１００の電力情報取得部１１０は、分電盤２３０から電力使用装置３００の使用電力の測定結果を示す使用電力情報を取得する（ステップＳ１１）。また電力情報取得部１１０は、発電装置２１０の発電電力の測定結果を示す発電情報を取得し（ステップＳ１２）、蓄電装置２２０の蓄電状態を示す蓄電情報を取得する（ステップＳ１３）。
【００４７】
制御装置１００の制御部１３０は、電力情報取得部１１０が、使用電力情報、発電情報及び蓄電情報を取得すると、所定アルゴリズムに従って、電力系統２９０、電力供給装置２００及び電力使用装置３００の間での電力の入出力の制御を行う（ステップＳ１４）。例えば、制御部１３０の電力入出力制御部１３１は、使用電力情報、発電情報及び蓄電情報に基づいて所定アルゴリズムにより、発電装置２１０から電力使用装置３００への供給電力Ｐａｘ、発電装置２１０から蓄電装置２２０への供給電力Ｐａｂ、蓄電装置２２０から電力使用装置３００への供給電力Ｐｂｘ等を特定する。そして、電力入出力制御部１３１はその特定結果に合致するように、例えば電力供給装置２００を制御する。
【００４８】
続いて、制御部１３０の表示制御部１３３は、使用電力情報、発電情報及び蓄電情報に基づいて所定アルゴリズムにより、発電装置２１０から電力使用装置３００への供給電力Ｐａｘ、発電装置２１０から蓄電装置２２０への供給電力Ｐａｂ、電力系統２９０から電力使用装置３００への供給電力Ｐｃｘ、蓄電装置２２０から電力使用装置３００への供給電力Ｐｂｘ等を特定して、特定結果により定まる電力の入出力の状態を示す情報（実電力情報）を表示するよう制御する（ステップＳ１５）。つまり、表示制御部１３３は、実電力情報の内容を特定してユーザインタフェース装置４００に伝達（送信）する。なお、ステップＳ１５での特定に、ステップＳ１４での特定結果を用いてもよい。
【００４９】
ステップＳ１５での制御を受けてユーザインタフェース装置４００の表示部４０２によりディスプレイ等に表示される画面（実電力情報が表示される画面）は、例えば図４に示す内容となる。ここで、図３に即した制御処理の説明を中断して、図４に示す画面５１０について説明する。
【００５０】
画面５１０は、住宅２０における電力の流れを表す画面である。画面５１０は表示項目として、日時の表示５０１、電力に関する表示５０２〜５０５、ユーザが操作可能なアイコン５０７ａ〜５０７ｉ、電力の流れを表す矢線表示５０６ａ、５０６ｂ等を含む。
【００５１】
表示５０２は、電力系統２９０が住宅２０に供給する電力及び電力の単価等を表し、例えば、サーバから取得した価格情報、特定された電力Ｐｃｘ等に基づいて形成される。
【００５２】
表示５０３は、発電装置２１０が発生する電力の情報を表し、例えば、特定された電力Ｐａｘ等に基づいて形成される。
【００５３】
表示５０４は、蓄電装置２２０に入出力される電力及び蓄電量を表し、例えば、特定された電力Ｐａｂ、Ｐｂｘ等に基づいて形成される。
【００５４】
表示５０５は、電力使用装置３００の使用（消費）する電力を表し、例えば、使用電力情報に基づいて形成される。
【００５５】
矢線表示５０６ａは、電力系統２９０から電力使用装置３００への電力の流れを表す。矢線表示５０６ｂは、発電装置２１０から電力使用装置３００への電力の流れを表す。これらの矢線表示は、例えば、特定された電力Ｐａｘ、Ｐｂｘ、Ｐｃｘ、Ｐａｂ等がゼロ、プラス値及びマイナス値のいずれであるか等に基づいて、表示するか否か及び矢線の向き等が定められて形成される。
【００５６】
アイコン（はさみアイコン）５０７ａを、電力の流れを示す矢線表示の上に重ねるようにドラッグアンドドロップ操作が行われると、その矢線表示に対応する電力の流れを切断するようにシミュレート部１３２によるシミュレーションが行われる。
【００５７】
アイコン（補修テープアイコン）５０７ｂを、はさみアイコンが重ねられた矢線表示の上に重ねるようにドラッグアンドドロップ操作が行われると、はさみアイコンにより切断された電力の流れを再接続するようにシミュレーションが行われる。
【００５８】
アイコン（時計アイコン）５０７ｃの押下操作が行われると、押下の度に一定時間（例えば３時間）単位で時間を先に進めた状態に変化させるシミュレーションが行われる。
【００５９】
アイコン（上矢印アイコン）５０７ｄを、表示５０２或いは表示５０５の上に重ねるようにドラッグアンドドロップ操作が行われると、その表示に対応する電力の値を一定量（例えば０．５ｋｗ）増加するようにシミュレーションが行われる。
【００６０】
アイコン（下矢印アイコン）５０７ｅを、表示５０２或いは表示５０５の上に重ねるようにドラッグアンドドロップ操作が行われると、その表示に対応する電力の値を一定量（例えば０．５ｋｗ）減少するようにシミュレーションが行われる。
【００６１】
アイコン（放電アイコン）５０７ｆの押下操作が行われると、蓄電装置２２０から放電して電力使用装置３００へ電力を供給するようにシミュレーションが行われる。
【００６２】
アイコン（中止アイコン）５０７ｇの押下操作が、シミュレーションが実行された後に行われると、画面が、シミュレーションの結果である表示内容から住宅２０における実際の電力の流れを表す表示内容に戻る。
【００６３】
アイコン（実施アイコン）５０７ｈの押下操作が、シミュレーションが実行された後に行われると、そのシミュレーションの結果である表示内容を実現するように電力入出力制御部１３１による制御が行われる。
【００６４】
アイコン（他情報アイコン）５０７ｉの押下操作が行われると、例えば、住宅２０における電力に関する各種情報を表示するためのメニュー（選択肢）等が表示される。
【００６５】
ユーザインタフェース装置４００の操作受付部４０１は、ユーザがアイコン５０７ａ〜５０７ｆを操作した場合には、操作内容に応じて、指示情報を生成して制御装置１００に伝達する。例えば、はさみアイコン５０７ａを矢線表示５０６ａ上に重ねるドラッグアンドドロップ操作が行われると、電力系統２９０から電力使用装置３００へ供給する電力をゼロ（電力供給停止）にする変更を示す指示情報が伝達される。
【００６６】
以下、再び図３に即した制御処理の説明に戻る。
【００６７】
制御装置１００の指示情報取得部１２０が、指示情報を取得しない間は、ステップＳ１１〜Ｓ１５が繰り返し実行される（ステップＳ１６）。
【００６８】
ユーザインタフェース装置４００の操作受付部４０１がユーザの操作を受け付けて操作に応じて生成した指示情報を指示情報取得部１２０が取得した場合には、制御部１３０のシミュレート部１３２はシミュレーションを実行する（ステップＳ１７）。即ち、シミュレート部１３２は、指示情報が示す条件に対応して所定アルゴリズムに基づいてシミュレーションを実行する。シミュレーションが正常に終了しなければ（ステップＳ１８）、表示制御部１３３は、エラー発生の旨を表示するよう制御する（ステップＳ１９）。
【００６９】
ステップＳ１８においてシミュレーションが正常に終了したと判定した場合に表示制御部１３３は、シミュレーション結果としての電力の入出力の状態を示す情報（シミュレーション電力情報）を表示するよう制御する（ステップＳ２０）。このシミュレーション結果の表示内容は、シミュレーションにより特定された電力Ｐａｘ、電力Ｐａｂ、電力Ｐｃｘ、電力Ｐｂｘ等に基づいて定められる。表示制御部１３３は、シミュレーション電力情報の内容を特定してユーザインタフェース装置４００に伝達（送信）する。ステップＳ２０での制御を受けてユーザインタフェース装置４００の表示部４０２によりディスプレイ等にはシミュレーション電力情報が表示される。
【００７０】
ステップＳ２０でのシミュレーション結果の表示制御から一定時間（例えば１分間等）が経過すると（ステップＳ２１）、制御装置１００は再びステップＳ１１からの処理に戻る。これによりユーザインタフェース装置４００の表示部４０２が表示する画面内容は、シミュレーション結果から、実際の電力の入出力の状態の表示に切り替わる（ステップＳ１５）。
【００７１】
ステップＳ２０でのシミュレーション結果の表示制御から一定時間が経過する前に、操作受付部４０１が、実施アイコン５０７ｈの押下操作（シミュレーション結果実現のための操作）を受け付けた場合には（ステップＳ２２）、ステップＳ２３に移る。即ち、操作受付部４０１から実施アイコン５０７ｈの押下操作がなされた旨の通知を受けて制御装置１００はシミュレーション結果の実現に向けた制御を実行する（ステップＳ２３）。シミュレーション結果の実現に向けた制御の一例としては、放電アイコン５０７ｆが押下され、蓄電装置２２０の放電のシミュレーションが実行された場合に、電力入出力制御部１３１が、蓄電装置２２０に放電するように制御信号を送信することが挙げられる。また、この制御の他の一例としては、例えばシミュレート部１３２により特定された電力Ｐａｘが発電装置２１０から電力使用装置３００へ供給されるように、特定された電力Ｐａｂが発電装置２１０から蓄電装置２２０へ供給されるように、特定された電力Ｐｃｘが電力系統２９０から電力使用装置３００へ供給されるように、更に、特定された電力Ｐｂｘが蓄電装置２２０から電力使用装置３００へ供給されるように、電力入出力制御部１３１が電力供給装置２００等を制御することが挙げられる。
【００７２】
また、操作受付部４０１が中止アイコン５０７ｇの押下操作（シミュレーション表示の中止の操作）を受け付けた場合には（ステップＳ２４）、操作受付部４０１から中止アイコンの押下の旨の通知を受けて制御装置１００は、再びステップＳ１１からの処理に戻る。
【００７３】
また、操作受付部４０１が、ユーザによるアイコン５０７ａ〜５０７ｆの操作を受け付けて操作に応じて生成した指示情報を指示情報取得部１２０が取得した場合には（ステップＳ２５）、ステップＳ１７に戻る。ステップＳ１７では、制御部１３０のシミュレート部１３２は、指示情報が示す条件に対応して所定アルゴリズムに基づいてシミュレーションを実行する。
【００７４】
このような制御装置１００の制御処理により、実電力情報及びシミュレーション電力情報の表示に係る表示方法が実現される。
【００７５】
以下、上述した制御処理における表示制御の具体的内容について、ユーザインタフェース装置４００の表示部４０２で表示される画面の複数の例を用いて説明する。
【００７６】
図５は、電力の流れを切断するシミュレーション結果を表示する画面の例を示す図である。
【００７７】
同図に示す画面５２０は、図４に示す画面５１０が表示されている状態において、ユーザが、はさみアイコン５０７ａを矢線表示５０６ａの上に重ねるようにドラッグアンドドロップ操作を行った場合に表示される。これは図３のステップＳ２０でシミュレーション電力情報を表示する制御がなされた結果である。画面５２０は、シミュレーション結果を表示していることを示す「シミュレーション中」の表示５０９を含んでいる。画面５２０では、電力系統２９０に関連する表示５０２から電力使用装置３００に関連する表示５０５に向かう矢線表示５０６ｄが、破線となる。図４の画面５１０では、実際に電力系統２９０から電力使用装置３００への電力の流れがあることを、実線の矢線表示５０６ａで表していた。これに対して、画面５２０では、シミュレーション上で電力系統２９０から電力使用装置３００への電力の流れが切断されたことを、破線の矢線表示５０６ｄにより表している。はさみアイコン５０７ａを矢線表示５０６ａの上に重ねるようにドラッグアンドドロップ操作が行われたときには、操作受付部４０１は、電力系統から電力使用装置へ供給される電力がゼロに変更されたことを示す指示情報を生成する。そして、制御装置１００ではその指示情報に応じて、指示情報が示す変更を前提（条件）として所定アルゴリズムに基づいてシミュレーションを行うことにより、電力Ｐａｘ、Ｐａｂ、Ｐｂｘ等を特定する。この特定された電力値に基づいて表示５０２〜５０５の内容が定められ、また、矢線表示の態様が定められる。図４の画面５１０に対して図５の画面５２０では、表示５０２における電力系統２９０が供給する電力の値がゼロに変化し、表示５０４における蓄電装置２２０が供給する電力の値が１．０（ｋＷ）に変化し、蓄電装置２２０から電力使用装置３００への電力の流れを表す矢線表示５０６ｃが追加されている。
【００７８】
図６は、電力値の減少（低減）のシミュレーション結果を表示する画面の例を示す図である。
【００７９】
同図に示す画面５３０は、図４に示す画面５１０が表示されている状態において、ユーザが、下矢印アイコン５０７ｅを、例えば電力系統に関する表示５０２の上に重ねるように、或いは表示５０２における電力値の付近に位置するように、ドラッグアンドドロップ操作を行った場合に表示される。この操作が行われたときには、操作受付部４０１は、電力系統から電力使用装置へ供給される電力を例えば０．５ｋＷ減少するように変更されたことを示す指示情報を生成する。そして、制御装置１００ではその指示情報に応じて、指示情報が示す変更を前提として所定アルゴリズムに基づいてシミュレーションを行うことにより、電力Ｐａｘ、Ｐａｂ、Ｐｂｘ等を特定する。この特定された電力値に基づいて表示５０２〜５０５の内容が定められ、また、矢線表示の態様が定められる。図４の画面５１０に対して図６の画面５３０では、表示５０２における電力系統２９０が供給する電力の値が０．５（ｋＷ）に変化し、表示５０４における蓄電装置２２０が供給する電力の値が０．５（ｋＷ）に変化し、蓄電装置２２０から電力使用装置３００への電力の流れを表す矢線表示５０６ｃが追加されている。
【００８０】
図７は、電力値の増加のシミュレーション結果を表示する画面の例を示す図である。
【００８１】
同図に示す画面５４０は、図４に示す画面５１０が表示されている状態において、ユーザが、上矢印アイコン５０７ｄを電力使用装置に関する表示５０５の上に重ねるようにドラッグアンドドロップ操作を行った場合に表示される。このような操作が行われたときには、操作受付部４０１は、電力使用装置が使用する電力を例えば０．５ｋＷ増加するように変更されたことを示す指示情報を生成する。そして、制御装置１００ではその指示情報に応じて、指示情報が示す変更を前提として所定アルゴリズムに基づいてシミュレーションを行うことにより、電力Ｐａｘ、Ｐａｂ、Ｐｃｘ、Ｐｂｘ等を特定する。この特定された電力値に基づいて表示５０２〜５０５の内容が定められ、また、矢線表示の態様が定められる。図４の画面５１０に対して図７の画面５４０では、表示５０２における電力系統２９０が供給する電力の値が１．５（ｋＷ）に変化し、表示５０５における電力使用装置３００が使用する電力の値が２．０（ｋＷ）に変化している。
【００８２】
図８は、蓄電装置の放電のシミュレーション結果を表示する画面の例を示す図である。
【００８３】
同図に示す画面５５０は、上述した図７に示すシミュレーション結果の画面５４０が表示された状態において更に、ユーザが、放電アイコン５０７ｆの押下操作を行った場合に表示される。このような操作が行われたときには、操作受付部４０１は、蓄電装置２２０が放電する状態に変更されたことを示す指示情報を生成する。そして、制御装置１００ではその指示情報に応じて、指示情報が示す変更を前提として所定アルゴリズムに基づいてシミュレーションを行うことにより、電力Ｐａｘ、Ｐａｂ、Ｐｃｘ、Ｐｂｘ等を特定する。この特定された電力値に基づいて表示５０２〜５０５の内容が定められ、また、矢線表示の態様が定められる。図７の画面５４０に対して図８の画面５５０では、表示５０２における電力系統２９０が供給する電力の値がゼロに変化し、表示５０４における蓄電装置２２０が供給する電力の値が１．５（ｋＷ）に変化し、蓄電装置２２０から電力使用装置３００への電力の流れを表す矢線表示５０６ｃが追加され、電力系統２９０から電力使用装置３００への電力の流れを表す矢線表示５０６ａは消去されている。
【００８４】
図９は、蓄電装置に蓄電している状態を表示する画面（実電力情報を表示する画面）の例を示す図である。
【００８５】
同図に示す画面５６０は、例えば発電装置２１０の発電する電力が、電力使用装置３００により使用される電力より大きい場合等に表示される。これは図３のステップＳ１５での表示制御がなされた結果である。実際の状態を反映して、表示５０４における、発電装置２１０から蓄電装置２２０に入力される電力の値が０．２（ｋＷ）を示し、蓄電量の値が２０（％）を示している。
【００８６】
図１０は、時間を進めるシミュレーション結果を表示する画面の例を示す図である。
【００８７】
同図に示す画面５７０は、上述した図９に示す画面５６０が表示された状態において、ユーザが、時計アイコン５０７ｃの押下操作を行った場合に表示される。この操作が行われたときには、操作受付部４０１は、時間が例えば３時間進む（３時間経過する）ように変更されたことを示す指示情報を生成する。そして、制御装置１００ではその指示情報に応じて、指示情報が示す変更を前提としてシミュレーションを行う。なお、時間を進めるシミュレーションにおいては、シミュレート部１３２は、電力供給装置２００が一定時間経過した時において出力可能な電力を推定する。この推定のために、例えば、単位時間の進行に対する状態の変化を予め定めた数式又はテーブル、及び、気象状態（例えば雲の量）と太陽光発電による発電電力との関係を定めた数式又はテーブル、サーバから取得した気象情報等が用いられる。シミュレート部１３２は、その推定結果に基づいて所定アルゴリズムに従ってシミュレーションを行う。これにより、シミュレート部１３２は、一定時間経過後の状態（例えば蓄電装置２２０の蓄電量等の蓄電状態等を含む）を特定する。この特定された状態に基づいて表示５０２〜５０５の内容が定められる。図９の画面５６０に対して図１０の画面５７０では、日時の表示５０１が３時間進み、表示５０４における蓄電装置２２０の蓄電量の値が１００（％）に変化している。
【００８８】
図１１は、エラーの発生を表示する画面の例を示す図である。
【００８９】
図４に示す画面５１０の状態とは蓄電装置２２０の蓄電量が異なり、蓄電量が０（％）である場合において、ユーザが、はさみアイコン５０７ａを矢線表示５０６ａの上に重ねるようにドラッグアンドドロップ操作を行ったときに、図１１の画面５８０が表示される。この画面５８０では、シミュレーションのエラーを表すポップアップウィンドウ５８１が表示されている。ユーザによる、はさみアイコン５０７ａのドラッグアンドドロップ操作に応じて、電力系統から電力使用装置へ供給される電力がゼロに変更されたことを示す指示情報が操作受付部４０１から制御装置１００に通知される。そして、制御装置１００ではその指示情報に応じて、指示情報が示す変更を前提（条件）として所定アルゴリズムに基づいてシミュレーションを行う。しかし、蓄電装置２２０の蓄電量が０％であり、発電装置２１０が発電する電力のみによって電力使用装置３００が使用する電力を賄うことができないため、エラーが発生する。このため、図３のステップＳ１９での表示制御により、エラーを表す画面５８０が表示されることになる。
【００９０】
このように制御システム１０によれば、実際の電力の入出力の状態を表示するのみならず、ユーザがアイコンを操作することに応じて、仮想的な状態をシミュレーションして、その結果のシミュレーション電力情報を表示する。このため、ユーザは、触れて表示内容が変化する様子を確認できる。従って、制御システム１０による電力に関する情報（電力の入出力の状態等）の表示によれば、変化の少ない従来の表示よりも、表示内容へのユーザの関心が高まることが期待できる。なお、電力の状態へのユーザの関心が高まることは、電力消費の抑制に繋がり得る。なお、この制御システム１０では、ユーザはシミュレーション結果を確認してから実施アイコン５０７ｈの押下操作を行ってそのシミュレーション結果を実現させることができるので、ユーザのミスに基づく電力の入出力に係る制御が抑制される。
【００９１】
（他の実施の形態等）
以上、実施の形態１により制御システム１０について説明したが、上述した実施の形態は一例にすぎず、各種の変更、付加、省略等が可能であることは言うまでもない。
【００９２】
上述の実施の形態１で示した所定アルゴリズムは、売電を行わない例を示したが、これは例示にすぎず、所定アルゴリズムには、売電を含む制御内容を定めてもよいし、各種の変更を加えることができる。例えば、電力会社から時間帯別料金制で電力が提供されている場合には、買電価格の低い時間帯に電力を蓄電装置２２０に蓄電し、買電価格の高い時間帯では蓄電装置２２０から電力を放出して電力使用装置３００に供給する等のアルゴリズムを加えてもよい。また、所定アルゴリズムにより特定する値としては、上述した電力Ｐａｘ、Ｐａｂ、Ｐｃｘ、Ｐｂｘ等は一例にすぎない。制御装置１００が制御により直接又は間接的に変更できる値、変更に係る制御の目標となる値等といった各種の制御用パラメータを所定アルゴリズムで特定するようにしてもよい。また、所定アルゴリズムとして、照明機器３１０、空調機器３２０等の個々の電力使用装置３００の稼動制御（電源オン、オフ等の制御）を含めてもよい。
【００９３】
また、住宅２０における電力供給装置２００として、発電装置２１０及び蓄電装置２２０を示したが、これらの一方が存在しなくてもよい。また、発電装置２１０又は蓄電装置２２０は、複数台存在してもよい。また、発電装置２１０は、電力以外のエネルギーを電力へ変換する装置であればよく、発電方法は太陽光発電には限られない。例えば、発電装置２１０は、発電機、燃料電池等であってもよい。
【００９４】
また、実施の形態１で示した画面における各表示要素（矢線表示等）の表示位置や表示態様（形状、模様、色、大きさ等）は、多様に変形可能である。また、電力使用装置３００については、分電盤２３０の分岐回路毎の単位で、その分岐回路に接続された１又は複数の装置（照明機器３１０、空調機器３２０等）の使用電力等について表示してもよい。また、画面に、時間帯毎の買電或いは売電の単価を示す情報を表示してもよい。
【００９５】
また、実施の形態１で示したユーザインタフェース装置４００は、表示及び入力が可能なタブレット等に限定されることはなく、表示のみを行う装置と入力のみを行う装置とが分離していてもよい。また、ユーザインタフェース装置４００が制御装置１００と一体であってもよい。また、ユーザインタフェース装置４００と制御装置１００との機能分担を、どのように変更してもよい。例えば、画面における各表示要素のレイアウト等をユーザインタフェース装置４００と制御装置１００とのどちらが定めてもよいし、ユーザ操作に応じた指示情報をどちらが定めてもよい。
【００９６】
また、実施の形態１で示した制御装置１００の機能の全部又は一部を外部のサーバに実行させることとしてもよい。
【００９７】
また、制御装置１００は、価格情報、気象情報等をサーバから取得しなくても、例えば、ユーザによる入力を受けて取得しても、外部のサーバと通信可能なスマートフォン等の端末装置からＨＡＮを介して取得してもよい。また、制御システム１０での電力に関する情報の表示制御において必ずしも価格情報、気象情報等を用いなくてもよい。これらの場合において制御装置１００は、必ずしも住宅２０の外部のサーバと通信しなくてもよい。
【００９８】
また、実施の形態１で示した時間を進めるシミュレーション（時計アイコン５０７ｃの押下操作に対応したもの）では、電力使用装置３００の使用電力（消費電力）が現在から変化しないと扱ってもよい。この他に、例えば、電力情報取得部１１０が繰り返し取得する使用電力情報を蓄積して分析することで一定時間経過後の使用電力を推定して、推定値を用いて所定アルゴリズムに基づいて一定時間経過後の電力の入出力の状態を算定してもよい。
【００９９】
また、実施の形態１で示した、はさみアイコン５０７ａは、電力系統２９０から電力使用装置３００への電力の流れを示す矢線表示５０６ａ以外の矢線表示の上にドラッグアンドドロップ操作で位置付けてもよい。このときは、そのはさみアイコン５０７ａが位置付けられた矢線表示に対応する電力の流れを切断するようにシミュレーションが行われる。
【０１００】
また、実施の形態１で示した実施アイコン５０７ｈの押下操作に対応してシミュレーション結果の実現のために電力入出力制御部１３１が、電力供給装置２００を制御することとした。シミュレーション結果の実現のために電力入出力制御部１３１が、電力供給装置２００以外の装置（電力使用装置３００、分電盤２３０内の回路等）を制御することとしてもよい。
【０１０１】
また、実施の形態１で示した各アイコン５０７ａ〜５０７ｉは、ユーザからの操作を受け付けるユーザインタフェース部品（グラフィカルユーザインタフェース部品）の一例にすぎない。従って、上述したアイコン以外のユーザインタフェース部品（メニュー等）を用いてもよいし、ハードウェアとしてのボタン、スイッチ等をユーザが操作に用いることとしてもよい。また、上述した押下操作、ドラッグアンドドロップ操作等の操作方法は例示にすぎず、他の操作方法を用いるようにしてもよい。即ち、ユーザの操作を受けて、電力の入出力の状態を変更する指示としての指示情報が定められればよい。例えば、電力系統２９０が電力使用装置３００へ入力する電力を低減した状態への変更を示す指示情報を生成するために、下矢印アイコン５０７ｅを電力系統２９０の表示５０２における電力の値に位置付ける操作、はさみアイコン５０７ａを矢線表示５０６ａ上に位置付ける操作等を対応付けることができる。また、電力供給装置２００が電力使用装置３００へ入力する電力の入力量の変更を示す指示情報を生成するために、上矢印アイコン５０７ｄ或いは下矢印アイコン５０７ｅを電力供給装置２００の表示５０３、５０４の電力の値に位置付ける操作、放電アイコン５０７ｆの押下操作等を対応付けることができる。
【０１０２】
また、実施の形態１では、シミュレーションの結果である表示内容から住宅２０における実際の電力の流れを表す表示内容に戻るように表示を切り替える操作のための中止アイコン５０７ｇを示した。この他に、ユーザインタフェース部品として、シミュレーションの結果である表示内容をその表示内容に切り替わる前の表示（例えば前回のシミュレーション結果の表示）に戻す操作のためのアイコン等を表示することとしてもよい。
【０１０３】
また、実施の形態１では、使用電力情報、発電情報及び蓄電情報に基づいて、電力の入出力に係る制御及び電力の入出力の状態の表示制御を行うこととした。しかし、使用電力情報、発電情報及び蓄電情報の全てを必ずしも利用しなくてもよく、また、この他の情報を利用してもよい。即ち、制御システムは、電力についての何らかの測定結果を用いて電力の入出力に係る制御及び電力の入出力の状態の表示制御を行うものであればよい。
【０１０４】
また、実施の形態１では、電力の入出力（需給）の状態のシミュレーション結果の表示等を行う制御システム１０を示したが、ガス、水道の水等といった電力以外のエネルギーの需給の状態についてのシミュレーション結果の表示を行うように応用してもよい。
【０１０５】
また、実施の形態１では制御システム１０は、住宅におけるＨＥＭＳであるとして説明した。しかし、制御システムは、必ずしも住宅におけるＨＥＭＳに限られることはなく、需要家の施設における電力の需給（入出力）に係る情報を表示するための制御を行うものであれば足りる。従って、制御システムは、例えばビルにおけるＢＥＭＳ（Building Energy Management System）、工場におけるＦＥＭＳ（Factory Energy Management System）等であってもよい。
【０１０６】
また、上述の制御処理の手順（図３参照）の実行順序は、必ずしも、上述した通りの順序に制限されるものではなく、発明の要旨を逸脱しない範囲で、実行順序を入れ替えたりその一部を省略したりすることができる。また、上述の制御処理の手順の全部又は一部は、制御装置１００（ＨＥＭＳコントローラ）或いは他の装置のハードウェアにより実現されても、ソフトウェアを用いて実現されてもよい。なお、ソフトウェアによる処理は、制御装置１００或いは他の装置に含まれるＣＰＵ（プロセッサ）がメモリに記憶された制御用のプログラムを実行することにより実現されるものである。また、そのプログラムを記録媒体に記録して頒布や流通させてもよい。例えば、頒布された制御プログラムを装置にインストールして、装置のＣＰＵ（プロセッサ）に実行させることで、装置に制御処理の全部又は一部を行わせることが可能となる。
【０１０７】
また、上述した実施の形態で示した構成要素及び機能を任意に組み合わせることで実現される形態も本発明の範囲に含まれる。
【０１０８】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１０９】
以下、本発明の一態様に係る制御システム、及び、この制御システムに関連する表示方法、制御装置及び制御プログラムの構成、変形態様、効果等について示す。
【０１１０】
（１）本発明の一態様に係る制御システム１０は、電力系統２９０と、需要家の施設（住宅２０）における電力供給装置２００（発電装置２１０、蓄電装置２２０等）及び電力使用装置３００（照明機器３１０、空調機器３２０、テレビ３３０等）との間での電力の入出力に係る制御を所定アルゴリズムにより実行し、電力に係る情報を表示するための制御を行う制御システムであって、施設に係る電力の測定結果に基づいて、電力系統２９０、電力供給装置２００及び電力使用装置３００の間における電力の入出力の状態を示す第１電力情報（実電力情報）を表示するための制御を行う制御部１３０と、第１電力情報が示す電力の入出力の状態についての変更を示す指示情報を取得する指示情報取得部１２０とを備え、制御部１３０は更に、第１電力情報（実電力情報）が示す電力の入出力の状態を指示情報に応じて変更するシミュレーションの結果としての、電力系統２９０、電力供給装置２００及び電力使用装置３００の間における、当該変更後の電力の入出力の状態を示す第２電力情報（シミュレーション電力情報）を表示するための制御を行う。なお、第１電力情報及び第２電力情報において示される、電力系統２９０、電力供給装置２００及び電力使用装置３００の間における電力の入出力の状態は、電力系統２９０、電力供給装置２００及び電力使用装置３００のうち少なくとも２つの間における電力の入出力の状態である。
【０１１１】
この構成により、例えばユーザの操作等により指示情報が与えられるとその指示情報に対応して表示を行うため、電力の入出力の状態についての表示内容が変化し、その結果としてユーザの関心を引く。そして、電力の入出力の状態へのユーザの関心が高まる。このため、この制御システムはユーザに電力消費の抑制の動機付けを与える点で有用な効果を生じる。
【０１１２】
（２）例えば、制御システム１０は、電力使用装置３００が使用する電力の測定結果を示す使用電力情報を取得する電力情報取得部１１０を備え、制御部１３０は、使用電力情報に基づいて、第１電力情報（実電力情報）及び第２電力情報（シミュレーション電力情報）を特定し、特定した第１電力情報及び第２電力情報を表示するための制御を行うこととしてもよい。
【０１１３】
これにより、電力使用装置３００の使用電力（消費電力）の状況を反映した表示がなされる。
【０１１４】
（３）例えば、電力供給装置２００は、蓄電装置２２０及び発電装置２１０であり、電力情報取得部１１０は更に、発電装置２１０が発電した電力の測定結果である発電情報及び蓄電装置２２０の蓄電状態を示す蓄電情報を取得し、所定アルゴリズムは、発電情報及び蓄電情報に基づいて電力供給装置２００から電力使用装置３００へ入力する電力を特定するアルゴリズムを含むこととしてもよい。
【０１１５】
これにより、発電装置の発電状態及び蓄電装置の蓄電状態により変化し得る表示がなされる。
【０１１６】
（４）例えば、制御システム１０は、電力に係る情報を表示するための表示部４０２と、第１電力情報（実電力情報）が示す電力の入出力の状態についての変更に係る操作を受け付けて当該変更を示す指示情報を生成する操作受付部４０１とを有するユーザインタフェース装置４００（タブレット４１０、スマートフォン４２０等）を備え、制御部１３０は、第１電力情報及び第２電力情報（シミュレーション電力情報）を表示部４０２に表示するよう制御を行い、指示情報取得部１２０は、操作受付部４０１により生成された指示情報を取得することとしてもよい。なお、制御システム１０におけるユーザインタフェース装置４００以外の構成要素は、ユーザインタフェース装置４００の内外（例えば施設外のサーバ内等）に所在し得る。
【０１１７】
これにより、ユーザはユーザインタフェース装置４００を見て操作することで、操作に応じた電力の情報を確認できるようになる。
【０１１８】
（５）例えば、第１電力情報（実電力情報）及び第２電力情報（シミュレーション電力情報）は、電力系統２９０を表す第１表示物（表示５０２）と電力使用装置３００を表す第２表示物（表示５０５）との情報を含み、制御部１３０は、電力系統２９０が電力使用装置３００へ電力を入力（供給）している場合において、第１表示物と第２表示物との間を接続する線（矢線表示５０６ａ）を表示部４０２に表示するよう制御を行い、制御部１３０は、電力系統２９０が電力使用装置３００へ電力を入力していない場合において、第１表示物と第２表示物との間を接続する線（矢線表示５０６ａ）を表示部４０２に表示しないよう制御を行い、第１電力情報は、電力系統２９０が電力使用装置３００へ電力を入力している状態を示し、操作受付部４０１が受け付ける操作は、電力系統２９０が電力使用装置３００へ電力を入力しない状態へ変更するための操作（例えば、はさみアイコン５０７ａの矢線表示５０６ａ上へのドラッグアンドドロップ操作等）であることとしてもよい。なお、この操作が行われた場合に、第１表示物と第２表示物との間を接続する実線（矢線表示５０６ａ）を、接続しない破線（矢線表示５０６ｄ）に変更することとしてもよい。
【０１１９】
これにより、電力の流れが示されるため、ユーザは、例えば実際に流れている電力の流れを停止させた場合についてのシミュレーション結果を容易に理解し得る。
【０１２０】
（６）例えば、操作受付部４０１は更に、第２電力情報（シミュレーション電力情報）が表示部４０２に表示されている場合に、第２電力情報が示す電力の入出力の状態を実現するための所定操作（例えば実施アイコン５０７ｈの押下操作等）を受け付け、操作受付部４０１により所定操作が受け付けられた場合に、制御部１３０は、第２電力情報が示す電力の入出力の状態を実現するために電力供給装置２００を制御することとしてもよい。例えば、電力供給装置２００の蓄電装置２２０が放電しない状態から放電する状態に変更されると、住宅２０における電力の流れが変化する。
【０１２１】
これにより、ユーザは、表示部４０２での表示により電力の入出力の状態についてのシミュレーション結果を確認した上で、そのシミュレーション結果を現実化させ得る。
【０１２２】
（７）例えば、シミュレーションは、指示情報が示す変更の条件下で、使用電力情報が示す電力を電力使用装置３００に継続して供給するために所定アルゴリズムに従って、電力系統２９０及び電力供給装置２００に係る電力の入出力を特定することにより行われることとしてもよい。
【０１２３】
これにより、ユーザは、施設（住宅２０）での実際の電力使用装置３００の使用電力（消費電力）に対応したシミュレーション結果を確認できる。
【０１２４】
（８）例えば、制御部１３０は、シミュレーションにおいて、指示情報が示す変更の条件下で使用電力情報が示す電力を電力使用装置３００に供給する結果が得られない場合には、第２電力情報（シミュレーション電力情報）を表示するための制御に代えて、エラーを表示するための制御を行うこととしてもよい。エラーの表示は、指示された変更を行うと電力使用装置３００が使用する電力を賄うことができない旨を示す表示であり、例えば「エラー」の文字の表示である。
【０１２５】
これにより、ユーザは、操作により指示したシミュレーションが失敗した場合に、失敗したことを容易に把握し得る。
【０１２６】
（９）例えば、指示情報は、第１電力情報（実電力情報）が示す電力の入出力の状態から、所定時間経過した状態への変更を示し、シミュレーションは、電力供給装置２００がその所定時間経過した時において出力可能な電力を推定し、その推定結果に基づいて所定アルゴリズムに従って行われることとしてもよい。この指示情報は、例えば、時計アイコン５０７ｃをユーザが操作すること等により定められ得る。
【０１２７】
これにより、ユーザは、推定される将来の電力の入出力の状態を確認できるようになる。
【０１２８】
（１０）例えば、指示情報は、第１電力情報（実電力情報）が示す電力の入出力の状態から、電力系統２９０が電力使用装置３００へ入力する電力を低減した状態への変更を示すこととしてもよい。
【０１２９】
これにより、ユーザは、電力系統２９０が電力使用装置３００へ入力する電力を低減した場合における電力の入出力の状態のシミュレーション結果を確認できる。
【０１３０】
（１１）例えば、指示情報は、電力供給装置２００が電力使用装置３００へ入力する電力の入力量の変更を示すこととしてもよい。
【０１３１】
これにより、ユーザは、電力供給装置２００が電力使用装置３００へ入力する電力の入力量を変更した場合における電力の入出力の状態のシミュレーション結果を確認できる。
【０１３２】
（１２）本発明の一態様に係る表示方法は、電力系統２９０と、需要家の施設（住宅２０）における電力供給装置２００及び電力使用装置３００との間での電力の入出力に係る制御を所定アルゴリズムにより実行する制御システム１０において用いられ、電力に係る情報を表示する表示方法であって、施設に係る電力の測定結果に基づいて、電力系統２９０、電力供給装置２００及び電力使用装置３００の間における電力の入出力の状態を示す第１電力情報（実電力情報）を表示する第１表示ステップ（ステップＳ１５等）と、第１電力情報が示す電力の入出力の状態についての変更を示す指示情報を取得する指示情報取得ステップＳ１６と、第１電力情報が示す電力の入出力の状態を指示情報に応じて変更するシミュレーションの結果としての、電力系統２９０、電力供給装置２００及び電力使用装置３００の間における、当該変更後の電力の入出力の状態を示す第２電力情報（シミュレーション電力情報）を表示する第２表示ステップ（ステップＳ２０等）とを含む。
【０１３３】
これにより、表示した状態への変更を示す指示情報に対応したシミュレーションの結果である電力の入出力の状態を表示するため、単なる測定値の表示を超えた動きが生じ得る。このため、ユーザの関心を引くことができ、ユーザによる消費電力抑制に繋がり得る。
【０１３４】
（１３）本発明の一態様に係る制御装置１００は、電力系統２９０と、需要家の施設（住宅２０）における電力供給装置２００及び電力使用装置３００との間での電力の入出力に係る制御を所定アルゴリズムにより実行し、電力に係る情報を表示装置（表示部４０２）に表示するための制御を行う制御装置であって、施設に係る電力の測定結果に基づいて、電力系統２９０、電力供給装置２００及び電力使用装置３００の間における電力の入出力の状態を示す第１電力情報（実電力情報）を表示装置に表示するための制御を行う制御部１３０と、第１電力情報が示す電力の入出力の状態についての変更を示す指示情報を取得する指示情報取得部１２０とを備え、制御部１３０は更に、第１電力情報が示す電力の入出力の状態を指示情報に応じて変更するシミュレーションの結果としての、電力系統２９０、電力供給装置２００及び電力使用装置３００の間における、当該変更後の電力の入出力の状態を示す第２電力情報（シミュレーション電力情報）を表示装置（表示部４０２）に表示するための制御を行う。
【０１３５】
これにより、表示装置に表示した状態への変更を示す指示情報に対応したシミュレーションの結果である電力の入出力の状態をその表示装置に表示するため、ユーザの関心を引くことができる。また、ユーザは、実際の電力の入出力の状態を変更することなく、変更した場合のシミュレーション結果を確認することができる。
【０１３６】
（１４）本発明の一態様に係る制御プログラムは、プロセッサ（ＣＰＵ）を含む制御装置１００に、電力系統２９０と、需要家の施設（住宅２０）における電力供給装置２００及び電力使用装置３００との間での電力の入出力に係る制御を実行させ、電力に係る情報を表示装置（表示部４０２）に表示させるための制御処理を実行させるための制御プログラムであって、制御処理は、施設に係る電力の測定結果に基づいて、電力系統２９０、電力供給装置２００及び電力使用装置３００の間における電力の入出力の状態を示す第１電力情報（実電力情報）を表示装置に表示するための制御を行う第１表示制御ステップＳ１５と、第１電力情報が示す電力の入出力の状態についての変更を示す指示情報を取得する指示情報取得ステップＳ１６と、第１電力情報が示す電力の入出力の状態を前記指示情報に応じて変更するシミュレーションの結果としての、電力系統２９０、電力供給装置２００及び電力使用装置３００の間における、当該変更後の電力の入出力の状態を示す第２電力情報（シミュレーション電力情報）を表示装置（表示部４０２）に表示するため制御を行う第２表示制御ステップＳ２０とを含む。
【０１３７】
この制御プログラムをコンピュータにインストールすれば、コンピュータが制御装置１００として機能し、表示装置に電力の入出力に係るシミュレーションの結果が表示され得る。
【符号の説明】
【０１３８】
１０  制御システム
２０  住宅
１００  制御装置
１１０  電力情報取得部
１２０  指示情報取得部
１３０  制御部
２００  電力供給装置
２１０  発電装置
２２０  蓄電装置
２３０  分電盤
２９０  電力系統
３００  電力使用装置
４００  ユーザインタフェース装置
４０１  操作受付部
４０２  表示部
５０２  表示（第１表示物）
５０５  表示（第２表示物）
５０６ａ  矢線表示（線）
【図１】
0006455820.tif 000002
【図２】
0006455820.tif 000003
【図３】
0006455820.tif 000004
【図４】
0006455820.tif 000005
【図５】
0006455820.tif 000006
【図６】
0006455820.tif 000007
【図７】
0006455820.tif 000008
【図８】
0006455820.tif 000009
【図９】
0006455820.tif 000010
【図１０】
0006455820.tif 000011
【図１１】
0006455820.tif 000012